(57)【要約】【課題】軌道式支持部に軌道が一体成形され、全体の部品数が少なく軽量であり、安定して動作すると共に、振動及び騒音が小さく、問題の把握が容易であるため修理が容易である工作機械のチェーン式工具マガジンを提供する。【解決手段】工作機械のチェーン式工具マガジンは、軌道式支持部１、チェーン式工具ホルダ部２及び駆動部３を備える。軌道式支持部１は、周縁に形成された互いに平行な第１の軌道１３及び第２の軌道１４を有し、第１の軌道１３及び第２の軌道１４が軌道式支持部１に一体成形されている。チェーン式工具ホルダ部２は、軌道式支持部１に巻き掛けられ、且つ第１の軌道１３及び第２の軌道１４に移動可能に配置されている。駆動部３は、軌道式支持部１に配設され、且つチェーン式工具ホルダ部２に移動可能に連結されている。【選択図】図１
0003196675.tif 000002
【実用新案登録請求の範囲】
【請求項１】
軌道式支持部、チェーン式工具ホルダ部及び駆動部を備えた工作機械のチェーン式工具マガジンであって、
前記軌道式支持部は、周縁に形成された互いに平行な第１の軌道及び第２の軌道を有し、前記第１の軌道及び前記第２の軌道が前記軌道式支持部に一体成形され、
前記チェーン式工具ホルダ部は、前記軌道式支持部に巻き掛けられ、且つ前記第１の軌道及び前記第２の軌道に移動可能に配置され、
前記駆動部は、前記軌道式支持部に配設され、且つ前記チェーン式工具ホルダ部に移動可能に連結されていることを特徴とする工作機械のチェーン式工具マガジン。
【請求項２】
前記チェーン式工具ホルダ部は、駆動チェーンと、複数の第１の支持フレームと、複数の第２の支持フレームと、複数の工具ホルダと、複数の第１のローラと、複数の第２のローラとを有し、
前記第１の支持フレームは、前記駆動チェーンの一側に配設され、
前記第２の支持フレームは、前記駆動チェーンの他側に配設され、
前記工具ホルダは、前記第１の支持フレーム及び前記第２の支持フレームにそれぞれ配設され、
前記第１のローラは、前記第１の支持フレームの外側にそれぞれ枢着され、更に、前記第１の軌道上に配置され、
前記第１の支持フレームの下縁は、前記第１の軌道内に配置され、
前記第２のローラは、前記第２の支持フレームの外側にそれぞれ枢着され、更に、前記第２の軌道上に配置され、-
前記第２の支持フレームの下縁は、前記第２の軌道内に配置されることを特徴とする請求項１に記載の工作機械のチェーン式工具マガジン。
【請求項３】
前記軌道式支持部には、第１のＬ字状支持フレーム及び第２のＬ字状支持フレームが配設され、
前記第１のＬ字状支持フレームは、前記第１の軌道の下縁外側に配設され、
前記第１のローラは、前記第１のＬ字状支持フレームと前記第１の軌道との間に配置され、
前記第２のＬ字状支持フレームは、前記第２の軌道の下縁外側に配設され、
前記第２のローラは、前記第２のＬ字状支持フレームと前記第２の軌道との間に配置されることを特徴とする請求項２に記載の工作機械のチェーン式工具マガジン。
【請求項４】
前記軌道式支持部には、支持フレームが配設され、
前記支持フレームと前記軌道式支持部との間には、収容空間が形成され、
前記駆動部は、駆動ユニット、固定座、変速ユニット及び駆動歯車を有し、
前記駆動歯車は、前記変速ユニットに結合されるとともに前記収容空間に配設され、
前記駆動歯車には、前記駆動チェーンが噛合され、
前記固定座は、前記支持フレームに配設され、
前記駆動ユニットは、前記固定座に配設され、
前記駆動ユニットには、前記変速ユニットが結合されていることを特徴とする請求項２に記載の工作機械のチェーン式工具マガジン。
【請求項５】
前記軌道式支持部は、互いに平行移動して固定される第１の軌道式支持部及び第２の軌道式支持部を有することを特徴とする請求項１に記載の工作機械のチェーン式工具マガジン。
【請求項６】
前記軌道式支持部は、少なくとも１つの固定部材を有し、
前記第２の軌道式支持部は、少なくとも１つの第２の延伸フレーム及び第２の収容槽を有し、
前記第２の延伸フレームは、第２の固定ユニットを有し、
前記第１の軌道式支持部は、少なくとも１つの第１の収容槽及び第１の延伸フレームを有し、
前記第１の収容槽は、第１の固定ユニットを有し、
前記第２の延伸フレームは、前記第１の収容槽内に配設され、
前記第１の延伸フレームは、前記第２の収容槽内に配設され、
前記固定部材は、前記第１の固定ユニット及び前記第２の固定ユニットに固定されることを特徴とする請求項５に記載の工作機械のチェーン式工具マガジン。
【請求項７】
前記軌道式支持部は、調整ねじ及び調整ナットを有し、
前記調整ねじは、前記調整ナット及び前記第１の延伸フレームに回しこまれ、
前記調整ナットにより前記調整ねじが前記第１の延伸フレームに固定され、
前記調整ねじのねじ頭は、前記第２の収容槽内に当接されることを特徴とする請求項６に記載の工作機械のチェーン式工具マガジン。
【請求項８】
前記チェーン式工具ホルダ部の背部を保護し、前記軌道式支持部に配設された保護裏板セットをさらに備えることを特徴とする請求項１に記載の工作機械のチェーン式工具マガジン。
【請求項９】
前記チェーン式工具ホルダ部の頂部を保護し、前記保護裏板セットの周縁に配設された保護側板セットをさらに備えることを特徴とする請求項８に記載の工作機械のチェーン式工具マガジン。
【請求項１０】
前記軌道式支持部の一側及び前記駆動部を覆う保護蓋板セットをさらに備えることを特徴とする請求項１に記載の工作機械のチェーン式工具マガジン。
【考案の詳細な説明】
【技術分野】
【０００１】
本考案は、工作機械のチェーン式工具マガジンに関し、特に、軌道式支持部に軌道が一体成形され、全体の部品数が少なく軽量であり、安定して動作すると共に、振動及び騒音が小さく、問題を把握して修理することが容易な工作機械のチェーン式工具マガジンに関する。
【背景技術】
【０００２】
製造業において生産効率を高めるために、メーカは積極的に製造を自動化する技術を開発しており、製造を自動化する過程において、工作機械のチェーン式工具マガジンは重要な加工ツールである。しかし、従来の工作機械のチェーン式工具マガジンは、チェーン式工具ホルダが一体性を有する上、機械構造の設計上、部品の数が多くて分散しており、更に構造は複雑な上、動作が不安定であり、振動及び騒音が大きかった。このように、従来の工作機械のチェーン式工具マガジンは、部品が多くて分散しているため、故障箇所などの問題部分を把握して修理することは容易でなかった。
【０００３】
そのため、軌道式支持部に軌道が一体成形され、全体の部品数が少なく軽量であり、安定して動作すると共に、振動及び騒音が小さく、問題を把握して修理することが容易な工作機械のチェーン式工具マガジンが求められていた。
【考案の概要】
【考案が解決しようとする課題】
【０００４】
本考案の目的は、軌道式支持部に軌道が一体成形され、全体の部品数が少なく軽量であり、安定して動作すると共に、振動及び騒音が小さく、問題を把握して修理することが容易な工作機械のチェーン式工具マガジンを提供することにある。
【課題を解決するための手段】
【０００５】
上記課題を解決するために、本考案の第１の形態によれば、軌道式支持部、チェーン式工具ホルダ部及び駆動部を備えた工作機械のチェーン式工具マガジンであって、前記軌道式支持部は、周縁に形成された互いに平行な第１の軌道及び第２の軌道を有し、前記第１の軌道及び前記第２の軌道が前記軌道式支持部に一体成形され、前記チェーン式工具ホルダ部は、前記軌道式支持部に巻き掛けられ、且つ前記第１の軌道及び前記第２の軌道に移動可能に配置され、前記駆動部は、前記軌道式支持部に配設され、且つ前記チェーン式工具ホルダ部に移動可能に連結されていることを特徴とする工作機械のチェーン式工具マガジンが提供される。
【０００６】
前記チェーン式工具ホルダ部は、駆動チェーンと、複数の第１の支持フレームと、複数の第２の支持フレームと、複数の工具ホルダと、複数の第１のローラと、複数の第２のローラとを有し、前記第１の支持フレームは、前記駆動チェーンの一側に配設され、前記第２の支持フレームは、前記駆動チェーンの他側に配設され、前記工具ホルダは、前記第１の支持フレーム及び前記第２の支持フレームにそれぞれ配設され、前記第１のローラは、前記第１の支持フレームの外側にそれぞれ枢着され、更に、前記第１の軌道上に配置され、前記第１の支持フレームの下縁は、前記第１の軌道内に配置され、前記第２のローラは、前記第２の支持フレームの外側にそれぞれ枢着され、更に、前記第２の軌道上に配置され、前記第２の支持フレームの下縁は、前記第２の軌道内に配置されることが好ましい。
【０００７】
前記軌道式支持部には、第１のＬ字状支持フレーム及び第２のＬ字状支持フレームが配設され、前記第１のＬ字状支持フレームは、前記第１の軌道の下縁外側に配設され、前記第１のローラは、前記第１のＬ字状支持フレームと前記第１の軌道との間に配置され、前記第２のＬ字状支持フレームは、前記第２の軌道の下縁外側に配設され、前記第２のローラは、前記第２のＬ字状支持フレームと前記第２の軌道との間に配置されることが好ましい。
【０００８】
前記軌道式支持部には、支持フレームが配設され、前記支持フレームと前記軌道式支持部との間には、収容空間が形成され、前記駆動部は、駆動ユニット、固定座、変速ユニット及び駆動歯車を有し、前記駆動歯車は、前記変速ユニットに結合されるとともに前記収容空間に配設され、前記駆動歯車には、前記駆動チェーンが噛合され、前記固定座は、前記支持フレームに配設され、前記駆動ユニットは、前記固定座に配設され、前記駆動ユニットには、前記変速ユニットが結合されていることが好ましい。
【０００９】
前記軌道式支持部は、互いに平行移動して固定される第１の軌道式支持部及び第２の軌道式支持部を有することが好ましい。
【００１０】
前記軌道式支持部は、少なくとも１つの固定部材を有し、前記第２の軌道式支持部は、少なくとも１つの第２の延伸フレーム及び第２の収容槽を有し、前記第２の延伸フレームは、第２の固定ユニットを有し、前記第１の軌道式支持部は、少なくとも１つの第１の収容槽及び第１の延伸フレームを有し、前記第１の収容槽は、第１の固定ユニットを有し、前記第２の延伸フレームは、前記第１の収容槽内に配設され、前記第１の延伸フレームは、前記第２の収容槽内に配設され、前記固定部材は、前記第１の固定ユニット及び前記第２の固定ユニットに固定されることが好ましい。
【００１１】
前記軌道式支持部は、調整ねじ及び調整ナットを有し、前記調整ねじは、前記調整ナット及び前記第１の延伸フレームに回しこまれ、前記調整ナットにより前記調整ねじが前記第１の延伸フレームに固定され、前記調整ねじのねじ頭は、前記第２の収容槽内に当接されることが好ましい。
【００１２】
前記チェーン式工具ホルダ部の背部を保護し、前記軌道式支持部に配設された保護裏板セットをさらに備えることが好ましい。
【００１３】
前記チェーン式工具ホルダ部の頂部を保護し、前記保護裏板セットの周縁に配設された保護側板セットをさらに備えることが好ましい。
【００１４】
前記軌道式支持部の一側及び前記駆動部を覆う保護蓋板セットをさらに備えることが好ましい。
【考案の効果】
【００１５】
本考案の工作機械のチェーン式工具マガジンは、軌道式支持部に軌道が一体成形され、全体の部品数が少なく軽量であり、安定して動作すると共に、振動及び騒音が小さく、問題を把握して修理することが容易である。
【図面の簡単な説明】
【００１６】
【図１】図１は、本考案の一実施形態に係る工作機械のチェーン式工具マガジンを正面右上から見た分解斜視図である。
【図２】図２は、本考案の一実施形態に係る工作機械のチェーン式工具マガジンを正面右下から見た分解斜視図である。
【図３】図３は、本考案の一実施形態に係る工作機械のチェーン式工具マガジンを背面左上から見た分解斜視図である。
【図４】図４は、本考案の一実施形態に係る工作機械のチェーン式工具マガジンを背面左下から見た分解斜視図である。
【図５】図５は、本考案の一実施形態に係る工作機械のチェーン式工具マガジンを正面右上から見た部分拡大図である。
【図６】図６は、本考案の一実施形態に係る工作機械のチェーン式工具マガジンを正面右上から見た部分拡大図である。
【図７】図７は、本考案の一実施形態に係る工作機械のチェーン式工具マガジンを正面右上から見た斜視図である。
【図８】図８は、本考案の一実施形態に係る工作機械のチェーン式工具マガジンを示す正面図である。
【図９】図９は、本考案の一実施形態に係る工作機械のチェーン式工具マガジンを正面右下から見た斜視図である。
【図１０】図１０は、本考案の一実施形態に係る工作機械のチェーン式工具マガジンを背面左上から見た斜視図である。
【図１１】図１１は、本考案の一実施形態に係る工作機械のチェーン式工具マガジンを背面左下から見た斜視図である。
【図１２】図１２は、本考案の一実施形態に係る工作機械のチェーン式工具マガジンの保護蓋板セットを組立てる前の状態を示す斜視図である。
【図１３】図１３は、本考案の一実施形態に係る工作機械のチェーン式工具マガジンの保護蓋板セットを組立てた後の状態を示す斜視図である。
【図１４】図１４は、図１３の断面図である。
【考案を実施するための形態】
【００１７】
以下、本考案の実施形態について図に基づいて説明する。なお、これによって本考案が限定されるものではない。
【００１８】
図１〜図５を参照する。図１は、本考案の一実施形態に係る工作機械のチェーン式工具マガジンを正面右上から見た分解斜視図である。図２は、本考案の一実施形態に係る工作機械のチェーン式工具マガジンを正面右下から見た分解斜視図である。図３は、本考案の一実施形態に係る工作機械のチェーン式工具マガジンを背面左上から見た分解斜視図である。図４は、本考案の一実施形態に係る工作機械のチェーン式工具マガジンを背面左下から見た分解斜視図である。図５は、本考案の一実施形態に係る工作機械のチェーン式工具マガジンを正面右上から見た部分拡大図である。
【００１９】
図７〜図１１を参照する。図７は、本考案の一実施形態に係る工作機械のチェーン式工マガジンを正面右上から見た斜視図である。図８は、本考案の一実施形態に係る工作機械のチェーン式工具マガジンを示す正面図である。図９は、本考案の一実施形態に係る工作機械のチェーン式工具マガジンを正面右下から見た斜視図である。図１０は、本考案の一実施形態に係る工作機械のチェーン式工具マガジンを背面左上から見た斜視図である。図１１は、本考案の一実施形態に係る工作機械のチェーン式工具マガジンを背面左下から見た斜視図である。
【００２０】
図１４を参照する。図１４は、図１３の断面図である。
【００２１】
図１〜図５、図７〜図１１及び図１４に示すように、本考案の一実施形態に係る工作機械のチェーン式工具マガジンは、少なくとも軌道式支持部１、チェーン式工具ホルダ部２及び駆動部３から構成されてなる。
【００２２】
図１〜図４及び図７〜図１１に示すように、軌道式支持部１の形状は、矩形と２つの半円との組み合わせからなる。２つの半円は、矩形の左右両側にそれぞれ位置する。軌道式支持部１の周縁には、互いに平行な第１の軌道１３及び第２の軌道１４が形成されている。第１の軌道１３及び第２の軌道１４は、軌道式支持部１と一体成形されている。軌道式支持部１は、互いに平行移動して固定された第１の軌道式支持部１１及び第２の軌道式支持部１２を有する。
【００２３】
図５に示すように、チェーン式工具ホルダ部２は、軌道式支持部１に巻き掛けられ、且つ第１の軌道１３及び第２の軌道１４に移動可能に配置されている。チェーン式工具ホルダ部２は、駆動チェーン２１と、複数の第１の支持フレーム２２と、複数の第２の支持フレーム２３と、複数の工具ホルダ２４と、複数の第１のローラ２５と、複数の第２のローラ２６とを有する。第１の支持フレーム２２は、駆動チェーン２１の一側に配設され、第２の支持フレーム２３は、駆動チェーン２１の他側に配設されている。複数の工具ホルダ２４は、第１の支持フレーム２２及び第２の支持フレーム２３にそれぞれ配設されている。図１４に示すように、複数の第１のローラ２５は、第１の支持フレーム２２の外側にそれぞれ枢着され、且つ第１の軌道１３上に配置され、第１の支持フレーム２２の下縁が第１の軌道１３内に配置される。第２のローラ２６は、第２の支持フレーム２３の外側にそれぞれ枢着され、更に、第２の軌道１４上に配置される。第２の支持フレーム２３の下縁は、第２の軌道１４内に配置される。
【００２４】
図１、図２及び図７〜図９に示すように、駆動部３は、軌道式支持部１の第２の軌道式支持部１２に配設される。駆動部３は、チェーン式工具ホルダ部２の駆動チェーン２１に移動可能に連結されている。
【００２５】
上述したように、本考案の一実施形態に係る工作機械のチェーン式工具マガジンは、全体の部品数は少なく、主に軌道式支持部１、チェーン式工具ホルダ部２及び駆動部３の３つの部分だけに分けられる。それぞれの部分は一体化されて一体性を有する。特に、軌道式支持部１は、一体成形された第１の軌道１３と第２の軌道１４とを有するため、３つの部分が組み合わされた構造は簡素、且つ軽い構造となる。また、チェーン式工具ホルダ部２は、第１の支持フレーム２２の下縁が軌道式支持部１の第１の軌道１３内に配置されと共に、第２の支持フレーム２３の下縁が軌道式支持部１の第２の軌道１４内に配置される。そして、第１のローラ２５が軌道式支持部１の第１の軌道１３上で転動すると共に、第２のローラ２６が軌道式支持部１の第２の軌道１４上で転動し、チェーン式工具ホルダ部２が軌道式支持部１上で安定的に動作する。軌道式支持部１は、互いに平行移動して固定された第１の軌道式支持部１１及び第２の軌道式支持部１２を有する。
【００２６】
工作機械のチェーン式工具マガジンが動作するときの騒音が大きいとき、第１の軌道式支持部１１を、外方へ適宜平行移動した後、チェーン式工具ホルダ部２の駆動チェーン２１を締め、チェーン式工具ホルダ部２の第１のローラ２５及び第２のローラ２６を軌道式支持部１の第１の軌道１３及び第２の軌道１４上で確実に転動するようにすることで、チェーン式工具ホルダ部２の第１のローラ２５及び第２のローラ２６が動作する際に第１の軌道１３及び第２の軌道１４に当たることを防ぎ、工作機械のチェーン式工具マガジンが動作する際に発生する振動及び騒音を小さくすることができる。
工作機械のチェーン式工具マガジンが動作する際の消費電力が多いとき、第１の軌道式支持部１１を内方へ適宜平行移動させた後に固定し、チェーン式工具ホルダ部２の駆動チェーン２１を緩め、チェーン式工具ホルダ部２と軌道式支持部１との間で発生する摩擦力を小さくして消費電力を減らす。また、軌道式支持部１の第１の軌道式支持部１１及び第２の軌道式支持部１２は、互いに平行移動して固定されるため、チェーン式工具ホルダ部２を修理する際、第１の軌道式支持部１１が内方へ適宜平行移動して固定し、チェーン式工具ホルダ部２の駆動チェーン２１を緩めることができることにより、チェーン式工具ホルダ部２の修理を容易に行うことができる。
また、本考案の工作機械のチェーン式工具マガジンは、主に軌道式支持部１、チェーン式工具ホルダ部２及び駆動部３の３つの部分のみに分かれ、これら３つの部分がそれぞれ一体性を備えているため、容易に問題点を探し出して修理することができる。また、全ての部品が軌道式支持部１上に配設されているため、軌道式支持部１の固定方式を変更するだけで、本考案の工作機械のチェーン式工具マガジンを縦向き又は横向きへ容易に変更することができる。
【００２７】
図１〜図４及び図１４を参照する。図１〜図４及び図１４に示すように、本考案の一実施形態に係る工作機械のチェーン式工具マガジンの軌道式支持部１には、第１のＬ字状支持フレーム１５及び第２のＬ字状支持フレーム１６が配設されている。第１のＬ字状支持フレーム１５は、第１の軌道１３の下縁外側に配設され、第１のローラ２５が第１のＬ字状支持フレーム１５と第１の軌道１３との間に配置され、第２のＬ字状支持フレーム１６は、第２の軌道１４の下縁外側に配設され、第２のローラ２６が第２のＬ字状支持フレーム１６と第２の軌道１４との間に配置される。これにより、チェーン式工具ホルダ部２の一部が軌道式支持部１の下縁まで回転すると、第１のＬ字状支持フレーム１５及び第２のＬ字状支持フレーム１６は、チェーン式工具ホルダ部２の第１のローラ２５及び第２のローラ２６をそれぞれ支持し、第１のローラ２５及び第２のローラ２６が重力により軌道式支持部１の第１の軌道１３及び第２の軌道１４から離れることを防ぎ、更には、チェーン式工具ホルダ部２の第１のローラ２５及び第２のローラ２６を確実に軌道式支持部１の第１の軌道１３及び第２の軌道１４上で転動させ、工作機械のチェーン式工具マガジンが動作するときの騒音を減らすことができる。また、第１のＬ字状支持フレーム１５及び第２のＬ字状支持フレーム１６は、チェーン式工具ホルダ部２の第１のローラ２５及び第２のローラ２６をそれぞれ支持することで騒音を減らすことができ、チェーン式工具ホルダ部２の駆動チェーン２１を適宜緩めて工作機械のチェーン式工具マガジンの動作に必要な消費電力を減らすことができる。
【００２８】
図５及び図８を参照する。図５及び図８に示すように、上述の工作機械のチェーン式工具マガジンの軌道式支持部１は、少なくとも１つの固定部材１７（図面では２つの固定部材が表示されているが、ねじ又はその他固定に用いる部材でもよい）を有する。第２の軌道式支持部１２は、少なくとも１つの第２の延伸フレーム１２１（図面では２つ表示されている）及び第２の収容槽１２２を有する。第２の延伸フレーム１２１は、第２の固定ユニット１２１１（ねじ孔又はその他固定に用いるユニットでもよい）を有する。第１の軌道式支持部１１は、少なくとも１つの第１の収容槽１１１（図面では２つ表示されている）及び第１の延伸フレーム１１２を有する。第１の収容槽１１１は、第１の固定ユニット１１１１（細長い孔又はその他固定に用いるユニットでもよい）を有する。第２の延伸フレーム１２１は、第１の収容槽１１１内に配設される。第１の延伸フレーム１１２は、第２の収容槽１２２内に配設される。固定部材１７は、第１の固定ユニット１１１１及び第２の固定ユニット１２１１に固定される。これにより、軌道式支持部１の第１の軌道式支持部１１と第２の軌道式支持部１２とが互いに平行移動して固定され、チェーン式工具ホルダ部２の駆動チェーン２１の張力を調整する。また、固定部材１７、第１の固定ユニット１１１１、第２の固定ユニット１２１１、第１の収容槽１１１、第１の延伸フレーム１１２、第２の収容槽１２２、第２の延伸フレーム１２１の数は必要に応じて増やしたり減らしたりしてもよい。また、第１の軌道式支持部１１及び第２の軌道式支持部１２の延伸フレーム及び収容槽の構造は、交互に入れ替えて同じ効果を得てもよい。
【００２９】
図５及び図８を参照する。図５及び図８に示すように、上述の工作機械のチェーン式工具マガジンの軌道式支持部１は、調整ねじ１８及び調整ナット１９を有する。調整ねじ１８は、調整ナット１９及び第１の延伸フレーム１１２のねじ孔１１２１へ螺合される。調整ナット１９は、調整ねじ１８を第１の延伸フレーム１１２へ固定する。調整ねじ１８のねじ頭は、第２の収容槽１２２の内壁面に当接される。これにより、チェーン式工具ホルダ部２の駆動チェーン２１を締めると、調整ナット１９及び固定部材１７を緩めて開いてから、第１の延伸フレーム１１２のねじ孔１１２１から調整ねじ１８を回して緩め、そのねじ頭を第２の収容槽１２２の内壁面に当接させ、第１の軌道式支持部１１を外方へ平行移動してチェーン式工具ホルダ部２の駆動チェーン２１を回しこみ、チェーン式工具ホルダ部２の駆動チェーン２１の張力が正しいことが確認された後に調整ナット１９及び固定部材１７を固定し、第１の軌道式支持部１１と第２の軌道式支持部１２とを固定する。また、チェーン式工具ホルダ部２の駆動チェーン２１を緩めるときは、まず、調整ナット１９及び固定部材１７を緩めてから調整ねじ１８を第１の延伸フレーム１１２のねじ孔１１２１へ回しこみ、第１の軌道式支持部１１を内方へ平行移動してチェーン式工具ホルダ部２の駆動チェーン２１を緩め、調整ねじ１８のねじ頭を第２の収容槽１２２の内壁面へ当接させ、チェーン式工具ホルダ部２の駆動チェーン２１の張力が正しいことが確認された後に調整ナット１９及び固定部材１７を固定し、第１の軌道式支持部１１と第２の軌道式支持部１２とを固定する。
【００３０】
図６を参照する。図６は、本考案の一実施形態に係る工作機械のチェーン式工具マガジンを正面右上から見た部分拡大図である。図６と併せて図５を参照する。図５及び図６に示すように、本考案の一実施形態に係る工作機械のチェーン式工具マガジンの第２の軌道式支持部１２の右外側には支持フレーム１２３が配設されている。支持フレーム１２３と第２の軌道式支持部１２との間には、収容空間１２４が形成されている。駆動部３は、駆動ユニット３１、固定座３２、変速ユニット３３及び駆動歯車３４を有する。駆動歯車３４は、変速ユニット３３に結合されるとともに収容空間１２４に配設される。駆動歯車３４には、駆動チェーン２１（例えば自転車の駆動機構に等しい）が噛合されている。固定座３２は、支持フレーム１２３に配設されている。駆動ユニット３１は、固定座３２に配設されている。駆動ユニット３１の駆動軸３１１は、変速ユニット３３に結合され、変速ユニット３３は、駆動ユニット３１が出力する回転速度を下げてから、駆動歯車３４へ伝達する。これにより、駆動ユニット３１が出力する動力を、まず、変速ユニット３３へ伝達してから駆動歯車３４へ伝達し、チェーン式工具ホルダ部２の駆動チェーン２１を駆動し、軌道式支持部１上でチェーン式工具ホルダ部２を回転させる。図６に示すように、第２の軌道式支持部１２に駆動部３を垂直に設置することで、駆動部３の修理を容易に行えるようにしている。
【００３１】
図１〜図４、図１０及び図１１を参照する。図１〜図４、図１０及び図１１に示すように、上述の工作機械のチェーン式工具マガジンは、軌道式支持部１の背部に設置された保護裏板セット４をさらに含んでもよい。保護裏板セット４は、チェーン式工具ホルダ部２の背部を保護する。保護裏板セット４は、上部保護裏板４１、下部保護裏板４２及び２つの側部保護裏板４３，４４を有してもよい。
【００３２】
図１〜図４及び図７〜図１１を参照する。図１〜図４及び図７〜図１１に示すように、上述の工作機械のチェーン式工具マガジンは、保護裏板セット４の周縁に設置された保護側板セット５をさらに含んでもよい。保護側板セット５は、チェーン式工具ホルダ部２の頂部を保護する。保護側板セット５は、上部保護側板５１、下部保護側板５２及び２つの保護側板５３，５４を有してもよい。
【００３３】
図１２及び図１３を参照する。図１２は、本考案の一実施形態に係る工作機械のチェーン式工具マガジンの保護蓋板セットを組立てる前の状態を示す斜視図である。図１３は、本考案の一実施形態に係る工作機械のチェーン式工具マガジンの保護蓋板セットを組立てた後の状態を示す斜視図である。図１２及び図１３に示すように、上述の工作機械のチェーン式工具マガジンは、軌道式支持部１の一側及び駆動部３を覆って保護する保護蓋板セット６をさらに含む。
【００３４】
図１〜図４及び図７〜図１１を参照する。図１〜図４及び図７〜図１１に示すように、上述の工作機械のチェーン式工具マガジンは、軌道式支持部１の背部に設置された工具ホルダ支持部７をさらに含んでもよい。工具搬送部８は、軌道式支持部１の背部に設置されている。固定フレーム９は、軌道式支持部１の背部に設置されている。工具ホルダ支持部７は、下方へ回転する工具ホルダ２４を支持するために用いる。工具搬送部８は、工具ホルダ２４内の工具（図示せず）を搬送する。固定フレーム９は、工作機械のチェーン式工具マガジンを他の機構へ固定する。
【００３５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３６】
１        軌道式支持部
２        チェーン式工具ホルダ部
３        駆動部
４        保護裏板セット
５        保護側板セット
６        保護蓋板セット
７        工具ホルダ支持部
８        工具搬送部
９        固定フレーム
１１      第１の軌道式支持部
１２      第２の軌道式支持部
１３      第１の軌道
１４      第２の軌道
１５      第１のＬ字状支持フレーム
１６      第２のＬ字状支持フレーム
１７      固定部材
１８      調整ねじ
１９      調整ナット
２１      駆動チェーン
２２      第１の支持フレーム
２３      第２の支持フレーム
２４      工具ホルダ
２５      第１のローラ
２６      第２のローラ
３１      駆動ユニット
３２      固定座
３３      変速ユニット
３４      駆動歯車
４１      上部保護裏板
４２      下部保護裏板
４３      側部保護裏板
４４      側部保護裏板
５１      上部保護側板
５２      下部保護側板
５３      保護側板
５４      保護側板
１１１    第１の収容槽
１１２    第１の延伸フレーム
１２１    第２の延伸フレーム
１２２    第２の収容槽
１２３    支持フレーム
１２４    収容空間
３１１    駆動軸
１１１１  第１の固定ユニット
１１２１  ねじ孔
１２１１  第２の固定ユニット
【図１】
0003196675.tif 000003
【図２】
0003196675.tif 000004
【図３】
0003196675.tif 000005
【図４】
0003196675.tif 000006
【図５】
0003196675.tif 000007
【図６】
0003196675.tif 000008
【図７】
0003196675.tif 000009
【図８】
0003196675.tif 000010
【図９】
0003196675.tif 000011
【図１０】
0003196675.tif 000012
【図１１】
0003196675.tif 000013
【図１２】
0003196675.tif 000014
【図１３】
0003196675.tif 000015
【図１４】
0003196675.tif 000016